(57)【要約】      （修正有）【課題】飲用水が人体に吸収された後に酵素の活性を大幅に向上して、前記水を介してエネルギーを人体の臓器に転送することができる、水処理装置を提供する。【解決手段】収容空間23が内部に形成されるチューブ21を有する積載体20と、前記収容空間中に収容され、前記チューブによって外部から隔離されている真珠31とを備えることを特徴とする水処理装置10。【選択図】図１
0003102545.tif 000002
【実用新案登録請求の範囲】
【請求項１】
収容空間が内部に形成されるチューブを有する積載体と、
前記収容空間中に収容され、前記チューブによって外部から隔離され、左回りエネルギーを有する共振部と、を備えることを特徴とする左回りエネルギーで共振する水処理装置。
【請求項２】
前記共振部は有機物で構成されることを特徴とする請求項１に記載の左回りエネルギーで共振する水処理装置。
【請求項３】
前記共振部は、所定数量の真珠と、所定種類の植物とを有することを特徴とする請求項１に記載の左回りエネルギーで共振する水処理装置。
【考案の詳細な説明】
【技術分野】
【０００１】
本考案は、水処理装置に係り、特に左回りエネルギーで共振する水処理装置に関する。
【背景技術】
【０００２】
目下、飲用水の濾過材としては、イオン薄膜と活性炭素となどのものが広汎に採用され、このような濾過材は水に含有する混じり物を除去し、飲用水の衛生及び安全を確保することができるが、人間の健康をさらに増進させることができない。さらに具体的に説明すると、遺伝子科学の発展に従って、遺伝子の突変は人間の病気の根本な原因であることが分かった。遺伝子の突変によって細胞が死亡プロセスから離脱すれば、ガンの発生原因になる。遺伝子が修復できないほどに外力に破壊されれば、遺伝子は自殺することが安全メカニズムであるが、遺伝子の損壊が長時間累積すると臓器の機能が低減し又は喪失する可能性がある。これは人間の遺伝子の必然的な結果であるが、遺伝子の損壊や突変の発生確率を回避し、緩和し又は低減する方法があると研究結果により指摘される。
【０００３】
マイナス電荷を持つ自由基の遺伝子に対する損壊は、遺伝子科学の発展により明らかになった。なお、人体の構造の内部には自由基の発生が回避できないことがあり、人体の新陳代謝及び酸素の吸入には自由基が発生する。これに対して、人体の遺伝子には自由基を除去するための酵素が存在するので、前記酵素の活性を有効に向上すれば遺伝子の損壊が大幅に低減できる。
【考案の開示】
【考案が解決しようとする課題】
【０００４】
本考案の主な目的は、飲用水が人体に吸収された後に自由基に抵抗する酵素の活性を大幅に向上でき、人体内の自由基を低減する、左回りエネルギーで共振する水処理装置を提供することである。
本考案の他の目的は、水が左回りエネルギーで共振され、前記水を介してエネルギーを人体の臓器に転送することができる、左回りエネルギーで共振する水処理装置を提供することである。
【課題を解決するための手段】
【０００５】
上記目的を達成するためになされた本考案は、収容空間が内部に形成されるチューブを有する積載体と、前記収容空間中に収容され、前記チューブによって外部から隔離され、左回りエネルギーを有する共振部と、を含むことを特徴とする左回りエネルギーで共振する水処理装置であることを要旨としている。
本考案では、前記共振部は有機物で構成されることを特徴とする請求項１に記載の左回りエネルギーで共振する水処理装置であることを要旨としている。
本考案では、前記共振部には、所定数量の真珠と、所定種類の植物とを有することを特徴とする請求項１に記載の左回りエネルギーで共振する水処理装置であることを要旨としている。
【考案を実施するための最良の形態】
【０００６】
以下、添付図面を参照して本考案の好適な実施の形態を詳細に説明する。
本考案の第一実施例による左回りエネルギーで共振する水処理装置１０は、積載体２０と、共振部２０とから構成されるものである。
【０００７】
前記積載体２０は、チューブ２１と、前記チューブ２１の軸方向の両端に設けられる二つのエンドカバー２２とを有し、これにより、前記チューブ２１の内部には密封した収容空間２３が形成される。前記積載体２０は、細菌が繁殖できない素材、例えばステンレス、スチールなどの金属材料で作製される。
【０００８】
前記共振部３０は、左回りエネルギーを持つ物質から構成され、前記収容空間２３内に収容され、且つ前記チューブ２１及びエンドカバー２２により外部から隔離される。この実施例では、前記共振部３０が真珠３１及び若干の植物３２から構成され、且つそれぞれの左回りエネルギーにより共振を発生し、前記共振は前記積載体２０の外部の一定範囲までに達することができる。
【０００９】
上記のような構成により、前記水処理装置１０は、従来の濾過材の換わりに中空な濾過パイプ４０に収容され、水が前記濾過パイプ４０の出入り口によって前記濾過パイプ４０を流れ過ぎ、前記共振部３０の左回りエネルギーによって発生する共振が前記積載体２０の周りの一定範囲までに達することができるので、前記積載体２０の周りを流れ過ぎる水が左回りエネルギーにより共振され、前記水のエネルギーが励起される。左回りエネルギーにより共振された飲用水が人体に吸収された後に、前記飲用水を介して左回りエネルギーを人体の臓器に転送することができ、自由基に抵抗する酵素の活性を大幅に向上でき、人体内の自由基の数量を大幅に低減することができる。ある医学大学の実験報告によれば、自由基の数量を９９％低減することができるので、効果が非常に顕著である。
【００１０】
また、前記水処理装置１０の応用をさらに広汎にするために、前記水処理装置１０を従来の水濾過材に合わせて使用することもできる。例えば、多数のパイプ状の水濾過器５０と前記濾過パイプ４０とを直列接続にし、水がそれらを連続に通過することにより、水中にある混じり物が従来の水濾過材に除去された後、前記水処理装置１０によって左回りエネルギーが通過している水に与えられる。そうすると、水分及び左回りエネルギーが同時に人体に供給されるので、人体の健康が向上する。
【００１１】
この考案に係る左回りエネルギーで共振する水処理装置によれば、飲用水が人体に吸収された後に、自由基に抵抗する酵素の活性を大幅に向上でき、人体内の自由基を低減することができる。
また、この考案に係る左回りエネルギーで共振する水処理装置によれば、水が左回りエネルギーで共振され、前記水を介してエネルギーを人体の臓器に転送することができる。
【図面の簡単な説明】
【００１２】
【図１】本考案の第一実施例による左回りエネルギーで共振する水処理装置の分解斜視図である。
【図２】本考案の第一実施例による左回りエネルギーで共振する水処理装置の外観斜視図である。
【図３】本考案の第二実施例による左回りエネルギーで共振する水処理装置の外観斜視図である。
【符号の説明】
【００１３】
１０  水処理装置、２０  積載体、３０  共振部、２１  チューブ、２２  エンドカバー、２３  収容空間、３１  真珠、３２  植物、４０  濾過パイプ、５０  水濾過器
【図１】
0003102545.tif 000003
【図２】
0003102545.tif 000004
【図３】
0003102545.tif 000005
【手続補正書】
【提出日】平成16年2月9日(2004.2.9)
【手続補正１】
【補正対象書類名】実用新案登録請求の範囲
【補正対象項目名】全文
【補正方法】変更
【補正の内容】
【実用新案登録請求の範囲】
【請求項１】
収容空間が内部に形成されるチューブを有する積載体と、
前記収容空間中に収容され、前記チューブによって外部から隔離されている真珠と、
を備えることを特徴とする水処理装置。